(57)【特許請求の範囲】
【請求項１】
構造物の壁面に固設した支持部材に支持されて前記壁面に沿って吊り下げ状態で設置することにより前記構造物に緑化を施す壁面緑化ユニットであって、
植栽が施される培土基盤と、該培土基盤を保持して前記支持部材に吊り下げ状態で支持させるための固定具とを備え、
前記培土基盤は、熱融着繊維を含み、加熱処理することで固形化する熱融着培土と、プラスチック繊維を絡ませてシート状に形成されるとともに前記熱融着培土内に配設され、加熱処理して前記熱融着培土の熱融着繊維に前記プラスチック繊維が接着することで前記熱融着培土と一体になる芯材とを備えて形成され、
前記固定具は、一対の縦部と該一対の縦部の下端同士を繋ぐ横部とを備え、前記一対の縦部の間に差し込むことで前記培土基盤を保持するように略Ｕ字状で帯状に形成されていることを特徴とする壁面緑化ユニット。
【発明の詳細な説明】
【技術分野】
【０００１】
本発明は、構造物の壁面に緑化を施すための壁面緑化ユニットに関する。
【背景技術】
【０００２】
従来、都市部におけるヒートアイランド現象の緩和や大気中の炭酸ガスの吸収、アメニティ空間の創出などを目的として、建築物や土木構造物（構造物）の壁面に植栽を施す壁面緑化が行なわれている。
【０００３】
そして、この種の壁面緑化システムには、特許文献１に開示されるように、パイプ状に形成した複数の植栽ユニット（壁面緑化ユニット）の内部に土壌を収容して植栽を施し、これら複数の植栽ユニットを、吊り部材によって水平に保持しつつ上下方向に所定の間隔をあけて繋ぎ、最上部の植栽ユニットに接続したワイヤーを、建築物の屋上に設けた昇降装置で繰出しあるいは巻取ることで、各植栽ユニットを建築物の壁面に沿って配置するようにしたものがある。
【０００４】
また、特許文献２に示されるように、複数の方形状の箱を備えたフレーム枠と、このフレーム枠の複数の箱に収容される植栽基盤（培土基盤）とを備え、アンカーボルトでフレーム枠を建築物の壁面に固定し、箱内の植栽基盤に植生した植物によって壁面に緑化を施すようにしたものもある。
【０００５】
さらに、特許文献３に示されるように、建築物の外壁から突出した複数の腕木と、これら腕木に支持された複数のフレーム材と、フレーム材に架張したネットと、フレーム材の下端側の建築物の外周に沿う地上に置かれた複数のプランターとを備え、プランター内の植栽土壌に植栽した落葉蔓性植物のツタが上方に設けたネットやフレーム材に支持されながら生育することで、建築物の壁面に緑化を施すようにしたものもある。
【０００６】
しかしながら、特許文献１の壁面緑化システムでは、屋上に設けた昇降装置でワイヤーの繰出しや巻上げを行なう関係上、複数の植栽ユニットを建築物の壁面に沿って垂直方向に吊り下げて並設させることになり、建築物の壁面の任意の位置を緑化して美的外観を向上させたい場合などデザイン面の自由度が低いという問題があった。
【０００７】
また、特許文献２の壁面緑化システムは、植栽基盤を収容するフレーム枠を堅牢に形成する必要があるため、コスト高を招き、しかも、フレーム枠を建築物の壁面に固定するため、例えば建築物の壁面を塗り替えたり、フレーム枠の箱内に収容した植栽基盤を交換するなど、建築物や壁面緑化システムのメンテナンスに柔軟に対応できないという問題があった。
【０００８】
さらに、特許文献３の壁面緑化システムは、地上に設けたプランターからツタ植物を生育させて緑化を施すものであるため、緑化を施すための植物に限りがあり、植物選定の自由度が低いうえ、特許文献１と同様、デザイン面の自由度にも限りがあるという問題があった。
【０００９】
一方、図６及び図７に示すように、建築物（構造物）Ｔの壁面Ｔ１に支持部材１を固設し、この支持部材１に壁面緑化ユニット（緑化ユニット）２を吊り下げ状態で設置して、建築物Ｔに緑化を施すようにした壁面緑化システムＡがある。この種の壁面緑化システムＡにおいては、緑化ユニット２が、例えば土壌とパーライトなどの無機質発泡体（発泡体）と熱融着繊維を混合し、これを蒸気で加熱処理して熱融着繊維を土壌や発泡体に絡ませ固形化した培土基盤３を、篭状に形成したメッシュ枠４の内部に挿入し、このメッシュ枠４で培土基盤３を保持するようにして形成されている。そして、メッシュ枠４に一体形成した引掛部（固定金具）５を支持部材１に引っ掛けたり、ボルトとナットで固定するなどして、緑化ユニット２を簡便に設置することができる。このため、この壁面緑化システムＡにおいては、支持部材１の任意の位置に緑化ユニット２を設置することができ、デザインや植物選定の自由度が高く、また、緑化ユニット２の取り外しが容易であるため、建築物Ｔや壁面緑化システムＡ（緑化ユニット２）のメンテナンスに柔軟に対応することが可能である。
【特許文献１】特開２００４−２４８５５０号公報
【特許文献２】特開２００２−９５３４７号公報
【特許文献３】特開２００２−３４３５０号公報
【発明の開示】
【発明が解決しようとする課題】
【００１０】
しかしながら、図６及び図７に示した壁面緑化システムＡの緑化ユニット２において、培土基盤３は、熱融着繊維を土壌や発泡体に絡ませて固形化したものであり、植栽を施す関係上、その強度特性（剛性）が緑化ユニット２を建築物Ｔの壁面Ｔ１に設置した後に風雨にさらされてもその形状を維持できる程度とされている。そして、このような強度特性で形成した培土基盤３は、緑化ユニット２の形成時に、すなわち培土基盤３をメッシュ枠４の内部に挿入する際に、作業者が手で持つと自重によって曲がるなどし、ハンドリング性（取扱性）が悪く、培土基盤３のサイズが大きくなるほどにメッシュ枠４の内部に挿入しにくくなって、挿入作業に多大な労力を要するという問題があった。
【００１１】
また、メッシュ枠４の内部に挿入する際に、培土基盤３の端部がメッシュ枠４やこれに一体形成した引掛部５に引っ掛かって千切れ、損傷が生じるという不都合が生じていた。
【００１２】
本発明は、上記事情に鑑み、培土基盤の取扱性を向上させるとともに、損傷を防止することを可能にし、且つ低コスト化を図ることが可能な壁面緑化ユニットを提供することを目的とする。
【課題を解決するための手段】
【００１３】
上記の目的を達するために、この発明は以下の手段を提供している。
【００１４】
本発明の壁面緑化ユニットは、構造物の壁面に固設した支持部材に支持されて前記壁面に沿って吊り下げ状態で設置することにより前記構造物に緑化を施す壁面緑化ユニットであって、植栽が施される培土基盤と、該培土基盤を保持して前記支持部材に吊り下げ状態で支持させるための固定具とを備え、前記培土基盤は、熱融着繊維を含み、加熱処理することで固形化する熱融着培土と、プラスチック繊維を絡ませてシート状に形成されるとともに前記熱融着培土内に配設され、加熱処理して前記熱融着培土の熱融着繊維に前記プラスチック繊維が接着することで前記熱融着培土と一体になる芯材とを備えて形成され、前記固定具は、一対の縦部と該一対の縦部の下端同士を繋ぐ横部とを備え、前記一対の縦部の間に差し込むことで前記培土基盤を保持するように略Ｕ字状で帯状に形成されていることを特徴とする。
【発明の効果】
【００１５】
本発明の壁面緑化ユニットにおいては、熱融着繊維を含み、加熱処理することで固形化する熱融着培土内に、プラスチック繊維を絡ませてシート状に形成した芯材を配して培土基盤を形成することによって、従来の壁面緑化ユニットの培土基盤と比較し、強度特性を高めることができ、培土基盤のハンドリング性（取扱性）を向上させることができる。そして、このように、培土基盤自体の強度特性が高められていることによって、従来の壁面緑化ユニットのようにメッシュ枠に培土基盤を挿入し、このメッシュ枠で培土基盤の全体を包んで保持する必要がなくなり、培土基盤の全体を覆うことのない略Ｕ字状で帯状に形成した固定具を、一対の縦部の間に培土基盤を差し込んで取り付けて培土基盤を保持することが可能になり、この固定具を壁面に固設した支持部材に固定して支持させることで確実に壁面緑化ユニット（培土基盤）を構造物の壁面に沿って設置することが可能になる。
【００１６】
また、略Ｕ字状で帯状の固定具を、この一対の縦部の間に培土基盤を差し込むという簡易な操作で培土基盤に取り付けることができ、且つ培土基盤の強度特性が芯材によって高められているため、従来のように培土基盤が損傷するようなことをなくして、好適に壁面緑化ユニットを形成することが可能になる。
【００１７】
さらに、培土基盤自体の強度特性が高められていることで、培土基盤の生産時や運搬時の取扱いが容易になるとともに、培土基盤に固定具を取り付けた壁面緑化ユニットのハンドリング性を向上させることができ、壁面緑化ユニットの設置を容易に行うことが可能になる。これにより、施工性の向上を図ることが可能になる。
【００１８】
また、従来の壁面緑化ユニットのようにメッシュ枠やこれに一体形成した引掛部（固定金具）を用いることなく、培土基盤に略Ｕ字状で帯状の固定具を取り付けるというシンプルな構成で壁面緑化ユニットを形成できるため、壁面緑化ユニットの低コスト化を図ることが可能になる。
【００１９】
さらに、このような壁面緑化ユニットを用いて構造物に緑化を施した場合には、デザイン変更やメンテナンスのために壁面緑化ユニットを交換する際に、培土基盤のみを交換すればよく、壁面緑化システムのランニングコストを低減することが可能になる。すなわち、従来の壁面緑化ユニットでは、培土基盤がメッシュ枠に挿入されて全体が包まれ、培土基盤から植物がメッシュ枠の外側に生育しているため、メッシュ枠の内部から培土基盤を取り出すことができず、デザイン変更やメンテナンス時に、壁面緑化ユニット全体を新たな壁面緑化ユニットと交換せざるを得ない。これに対し、本発明の壁面緑化ユニットにおいては、略Ｕ字状で帯状の固定具の一対の縦部の間に培土基盤を差し込んで、培土基盤が固定具に保持されているため、培土基盤を固定具から引き抜くことで容易に取り外すことができ、新たな培土基盤をこの固定具に差し込むことで、新たな壁面緑化ユニットを形成することができる。
【発明を実施するための最良の形態】
【００２０】
以下、図１から図５を参照し、本発明の一実施形態に係る壁面緑化ユニットについて説明する。本実施形態は、建築物や土木構造物などの構造物の外面や内面の壁面に緑化を施すための壁面緑化ユニット及びこれを用いた壁面緑化システムに関するものである。
【００２１】
本実施形態の壁面緑化システムＢは、図１に示すように、構造物Ｔの壁面Ｔ１に固設されるとともに、上下方向に所定の間隔をあけて並設された複数の支持部材１と、支持部材１に支持され、上下方向に隣り合う一対の支持部材１の間に配された複数の壁面緑化ユニット（緑化ユニット）１０と、支持部材１と緑化ユニット１０の間に配された灌水チューブ（灌水部材）１１とが主な構成要素とされている。
【００２２】
支持部材１は、例えばＣ型チャンネルなどのチャンネルであり、断面略凹状に形成されている。また、支持部材１は、開口部側を上方に向けた状態で、且つ対向する一対の側壁部のうち一方の側壁部の外面を構造物Ｔの壁面Ｔ１に面接触させた状態で、一方の側壁部をアンカーボルトなどで壁面Ｔ１に固定して設けられている。さらに、複数の支持部材１は、それぞれ、水平方向に延設されて平行に設置されている。また、本実施形態において、支持部材１の一方の側壁部と対向する他方の側壁部の外面側には、すなわち構造物Ｔの壁面Ｔ１に対して外側に位置する側壁部の外面側には、この外面から外側に突出する例えばビスやボルトなどが支持部材１の延設方向に所定の間隔をあけて設けられている。
【００２３】
一方、本実施形態の緑化ユニット１０は、図２及び図３に示すように、植栽が施される培土基盤１２と、培土基盤１２を保持して支持部材１に吊り下げ状態で支持させるとともに、保持した培土基盤１２を構造物Ｔの壁面Ｔ１に沿って設置するための固定具１３とを備えて構成されている。
【００２４】
培土基盤１２は、図２から図４に示すように、正面視略正方形状で略平板状に形成されており、熱融着繊維を含み、加熱処理することで固形化する熱融着培土１４内に、プラスチック繊維を絡ませてシート状に形成した芯材１５を配して形成されている。また、本実施形態において、熱融着培土１４は、土壌とパーライトなどの無機質発泡体（発泡体）と熱融着性繊維を混合したものであり、蒸気で加熱処理することによって熱融着性繊維同士が接着したり、繊維と発泡体、繊維と土壌が接着することで三次元の網状構造が形成され、これにより、土壌が保持されるとともに固形化した形状が好適に保持される。そして、このように固形化した状態の熱融着培土１４は、緑化ユニット１０を構造物Ｔの壁面Ｔ１に設置し、培土基盤１２が風雨にさらされた場合においても、土壌が外部に流出するようなことがなく、その形状が長期にわたって保持される程度の強度特性を備えて形成されている。また、このような熱融着培土１４は、無機質発泡体の単位体積当りの重量が例えば０．５ｋｇ／リットル以下とされ、この無機質発泡体が混在することによって、軽量化が図られるとともに、植物の生育に対する適度な保水性と排水性が付与されている。
【００２５】
また、本実施形態の培土基盤１２においては、幅方向略中央の熱融着培土１４内にシート状の芯材１５が設けられており、加熱処理した際に、熱融着培土１４の熱融着性繊維が芯材１５のプラスチック繊維に接着することで、芯材１５と熱融着培土１４が一体形成される。そして、このように芯材１５が熱融着培土１４と一体になることで、本実施形態の培土基盤１２は、従来の緑化ユニット２の培土基盤３と比較し（すなわち芯材１５を備えていない培土基盤３と比較し）、強度特性（剛性）が高められ、ハンドリング性（取扱性）の向上が図られている。
【００２６】
なお、加熱処理して培土基盤１２を形成した段階で、例えば培土基盤１２に直接播種したり、培土基盤１２に窪みを形成しこの窪みにポット苗を設置するなどして植栽が施される。また、この培土基盤１２に植栽される植物は、例えばコケ、セダム、蔓性植物などが好ましいが特に限定を必要としない。
【００２７】
固定具１３は、金属やプラスチック等で形成されるとともに、図１から図３、及び図５に示すように、一対の縦部１３ａ、１３ｂとこれら一対の縦部１３ａ、１３ｂの下端同士を繋ぐ横部１３ｃとを備えて略Ｕ字状で帯状に形成されている。また、固定具１３は、一対の縦部１３ａ、１３ｂの間隔が培土基盤１２の幅と同等あるいは培土基盤１２の幅よりも僅かに大きく形成されるとともに、一方の縦部１３ａが他方の縦部１３ｂよりも上方に延出して形成されている。さらに、固定具１３は、図５に示すように、一対の縦部１３ａ、１３ｂの間に培土基盤１２を差し込むことで培土基盤１２に取り付けられ、このように取り付けた状態で、培土基盤１２の一面１２ａ側に配された一方の縦部１３ａの上端部１３ｄ（他方の縦部１３ｂよりも上方に延出した部分）が培土基盤１２の上端よりも上方に配されるように形成されている。
【００２８】
そして、本実施形態において、緑化ユニット１０は、培土基盤１２の両側端側にそれぞれ一つずつ固定具１３を取り付けて構成され、図１に示すように、各固定具１３の一方の縦部１３ａの上端部１３ｄを構造物Ｔの壁面Ｔ１に固設した支持部材１に固定することによって、培土基盤１２が固定具１３に保持されつつ支持部材１に吊り下げ状態で支持され、壁面Ｔ１に沿うように設置される。また、このとき、複数の緑化ユニット１０を、任意の支持部材１の任意の位置に設置することで、すなわち構造物Ｔの壁面Ｔ１に沿って上下方向や水平方向の任意の位置に設置することによって、構造物Ｔの壁面Ｔ１に所望のデザインの緑化を施すことが可能になる。
【００２９】
一方、灌水チューブ１１は、例えばチューブ内を流通する水を外部に供給するための複数の孔が所定の間隔をあけて形成されたドリップチューブとされている。また、この灌水チューブ１１は、緑化ユニット１０の培土基盤１２の上端とこの緑化ユニット１０を支持する上方の支持部材１の間に水平方向に誘導されて配置されている。また、灌水チューブ１１には、図示せぬ例えば水道水や雨水などの水を貯留する貯水槽や、灌水チューブ１１に貯水槽内の水を供給するためのポンプなどが接続されている。なお、灌水チューブ１１に供給される水には、貯水槽内に液体肥料（液肥）を供給するなどして液肥が混入されている。
【００３０】
ついで、上記の構成からなる壁面緑化システムＢの施工方法を説明するとともに、本実施形態の緑化ユニット１０の作用及び効果について説明する。
【００３１】
本実施形態の壁面緑化システムＢを施工する際には、はじめに、支持部材１、緑化ユニット１０を構成する培土基盤１２や固定具１３、灌水チューブ１１などを現場に搬入する。このとき、培土基盤１２は、前述のように、加熱処理によって固形化され、熱融着培土１４と芯材１５を一体形成して製作され、この芯材１５によって強度特性が高められているため、製作時（生産時）や運搬時の取り扱いが容易である。
【００３２】
ついで、搬入した支持部材１を構造物Ｔの壁面Ｔ１の所定位置に設置するとともに、培土基盤１２に固定具１３を取り付けて緑化ユニット１０を形成する。このとき、従来の緑化ユニット２においては、強度特性の低い培土基盤３をメッシュ枠４の内部に挿入する際に、作業者が手で持つと自重によって培土基盤３が曲がるなどし、ハンドリング性（取扱性）が悪く、培土基盤３のサイズが大きくなるほどにメッシュ枠４の内部に挿入しにくくなり、この挿入作業に多大な労力を要していた。また、培土基盤３の端部がメッシュ枠４やこれに一体形成した引掛部５に引っ掛かって千切れ、損傷が生じるという不都合が生じていた。
【００３３】
これに対し、本実施形態の緑化ユニット１０においては、強度特性の低い熱融着培土１４内にプラスチック繊維を絡ませた芯材１５が熱融着培土１４と一体に設けられて、培土基盤１２の強度特性が高められているため、培土基盤１２のハンドリング性が向上し、一対の縦部１３ａ、１３ｂの間にこの培土基盤１２を差し込む固定具１３の取付作業が容易に行える。また、このように培土基盤１２の強度特性が高められ、且つ従来のようにメッシュ枠４の内部に挿入する必要がないため、培土基盤１２に損傷が生じることなく固定具１３の取付作業が行え、好適に緑化ユニット１０が形成される。
【００３４】
そして、このように緑化ユニット１０を形成した段階で、壁面Ｔ１を緑化するデザインに応じた設置位置に緑化ユニット１０を運び、固定具１３の一方の縦部１３ａの上端部１３ｄを構造物Ｔの壁面Ｔ１に設置した支持部材１に固定して、緑化ユニット１０を設置する。このとき、従来の緑化ユニット２に対し、培土基盤１２自体の強度特性が高められ、且つ軽量化が図られているため、緑化ユニット１０を設置位置に運ぶ際のハンドリング性に優れ、作業員が培土基盤１２を持って安定した状態で容易に、固定具１３の支持部材１への固定作業を行える。
【００３５】
ついで、デザインに応じた範囲に緑化ユニット１０を設置した段階で、灌水チューブ１１を設置する。このとき、緑化ユニット１０の培土基盤１２の上端と緑化ユニット１０を支持する上方の支持部材１の間を通し誘導するという簡易な操作により灌水チューブ１１が設置され、このように、灌水チューブ１１を設置した段階で構造物Ｔの壁面緑化の施工が完了する。
【００３６】
また、本実施形態の壁面緑化システムＢにおいて、培土基盤１２に植栽した植物に灌水を行なう際には、タイマーや手動によってポンプを駆動するとともに、貯水槽内の液肥を含む水が灌水チューブ１１を流通する。そして、灌水チューブ１１の複数の孔からこの水が滴下することにより、下方に位置する緑化ユニット１０の培土基盤１２の上端側から水と液肥が供給される。培土基盤１２の上端側から供給された水は、培土基盤１２の上端から下端（緑化ユニット１０の下端）側に供給されてゆき、培土基盤１２に保水されない余剰水が下端から排出される。これにより、培土基盤１２の水分量が植物の生育に適した状態で維持され、構造物Ｔの壁面Ｔ１に好適に緑化が施される。
【００３７】
一方、例えば構造物Ｔの壁面Ｔ１の緑化デザインを変更したい場合やメンテナンスのために緑化ユニット１０を交換する場合、従来の緑化ユニット２では、培土基盤３がメッシュ枠４に挿入されて全体が包まれ、且つ培土基盤３から植物がメッシュ枠４の外側に生育しているため、メッシュ枠４の内部から培土基盤３を取り出すことが困難である。このため、デザイン変更やメンテナンス時に、緑化ユニット２全体を新たな緑化ユニット２と交換せざるを得なかった。
【００３８】
これに対し、本実施形態の緑化ユニット１０においては、略Ｕ字状で帯状の固定具１３の一対の縦部１３ａ、１３ｂの間に培土基盤１２を差し込み、培土基盤１２が両側端側にそれぞれ一つずつ設けた固定具１３で保持されているに過ぎないため、培土基盤１２を固定具１３から引き抜くという簡易な操作によって、培土基盤１２と固定具１３が分離される。このため、この固定具１３に新たな培土基盤１２を差し込んで、培土基盤１２のみを交換することで、デザイン変更やメンテナンスが行える。
【００３９】
したがって、本実施形態の緑化ユニット１０においては、熱融着繊維を含み、加熱処理することで固形化する熱融着培土１４内に、プラスチック繊維を絡ませてシート状に形成した芯材１５を配して培土基盤１２を形成することによって、強度特性を高めることができ、培土基盤１２のハンドリング性を向上させることができる。これにより、培土基盤１２の全体を覆うことのない固定具１３を取り付けて培土基盤１２を保持することが可能になり、この固定具１３を壁面Ｔ１に固設した支持部材１に支持させることで確実に緑化ユニット１０（培土基盤１２）を設置できる。
【００４０】
また、固定具１３を、一対の縦部１３ａ、１３ｂの間に培土基盤１２を差し込むという簡易な操作で取り付けることができ、且つ培土基盤１２の強度特性が芯材１５によって高められているため、培土基盤１２が損傷することを確実に防止でき、好適に緑化ユニット１０を形成することが可能になる。
【００４１】
さらに、培土基盤１２の製作時や運搬時の取扱いが容易になり、且つ緑化ユニット１０のハンドリング性が向上することで、緑化ユニット１０の設置を容易に行うことが可能になり、施工性の向上を図ることが可能になる。
【００４２】
また、培土基盤１２に略Ｕ字状で帯状の固定具１３を取り付けるというシンプルな構成で緑化ユニット１０を形成できるため、緑化ユニット１０の低コスト化を図ることが可能になる。
【００４３】
さらに、緑化ユニット１０を用いて構造物Ｔに緑化を施した後、デザイン変更やメンテナンスを行う場合においても、培土基盤１２のみを交換することで対応できるため、壁面緑化システムＢのランニングコストを低減することができる。
【００４４】
以上、本発明に係る壁面緑化ユニットの実施形態について説明したが、本発明は上記の一実施形態に限定されるものではなく、その趣旨を逸脱しない範囲で適宜変更可能である。例えば、本実施形態では、培土基盤１２の両側端側にそれぞれ一つずつ固定具１３を取り付けて緑化ユニット１０が構成されているものとしたが、固定具１３は、確実に培土基盤１２を保持しつつ吊り下げ状態で支持させることができれば、取付位置や取付数を限定する必要はない。
【図面の簡単な説明】
【００４５】
【図１】本発明の一実施形態に係る壁面緑化ユニットを備えた壁面緑化システムを示す図である。
【図２】本発明の一実施形態に係る壁面緑化ユニットを示す図である。
【図３】図２のＸ−Ｘ線矢視図である。
【図４】本発明の一実施形態に係る壁面緑化ユニットの培土基盤を示す図である。
【図５】本発明の一実施形態に係る壁面緑化ユニットの培土基盤と固定具を示す図である。
【図６】従来の壁面緑化ユニットを備えた壁面緑化システムを示す図である。
【図７】図６のＸ−Ｘ線矢視図である。
【符号の説明】
【００４６】
１      支持部材
２      従来の緑化ユニット
３      従来の培土基盤
４      メッシュ枠
１０    緑化ユニット（壁面緑化ユニット）
１１    灌水チューブ
１２    培土基盤
１２ａ  一面（前面、外面）
１２ｂ  他面（背面、外面）
１３    固定具
１４    熱融着培土
１５    芯材
Ａ      従来の壁面緑化システム
Ｂ      壁面緑化システム
Ｔ      構造物
Ｔ１    壁面
【図１】
0004936176.tif 000002
【図２】
0004936176.tif 000003
【図３】
0004936176.tif 000004
【図４】
0004936176.tif 000005
【図５】
0004936176.tif 000006
【図６】
0004936176.tif 000007
【図７】
0004936176.tif 000008